(57)【要約】【課題】詰め替え用のレフィル２を使用容器３に対して簡単且つ確実に装填できるようにする。【解決手段】レフィル２に対してその上面を覆う蓋部１５と、レフィル２の外周部を取り囲むガイド枠部１６と、を有し、ガイド枠部１６には、凹凸係合又は摩擦当接によりレフィル２を仮保持させる仮保持手段Ｘが設けられていると共に、ガイド枠部１６は、レフィル２の底部を下方へ突き出させて装填先とする容器３上に当該底部を係合可能にする高さで形成されており、蓋部１５には、レフィル２に下向きの押圧力を伝えて仮保持手段Ｘによる仮保持を解除させる装填操作部Ｙが設けられている。【選択図】図１
2018075074.tif 000002
【特許請求の範囲】
【請求項１】
詰め替え用のレフィルに対してその上面を覆う蓋部と、
前記レフィルの外周部を取り囲むガイド枠部と、を有し、
前記ガイド枠部には、凹凸係合又は摩擦当接により前記レフィルを仮保持させる仮保持手段が設けられていると共に、
前記ガイド枠部は、前記レフィルの底部を下方へ突き出させて装填先とする容器上に当該底部を係合可能にする高さで形成されており、
前記蓋部には、前記レフィルに下向きの押圧力を伝えて前記仮保持手段による仮保持を解除させる装填操作部が設けられている
ことを特徴とするレフィル用装填器。
【請求項２】
前記ガイド枠部には、前記蓋部を上下動自在な状態で連結する弾性ジョイントが設けられていることを特徴とする請求項１記載のレフィル用装填器。
【請求項３】
前記ガイド枠部には、前記装填操作部の未操作時に前記レフィルの上縁部に当接して前記蓋部の上昇を阻止する開放止め部が設けられていることを特徴とする請求項１又は請求項２記載のレフィル用装填器。
【請求項４】
前記仮保持手段は、前記レフィルに設けられた対容器用の位置決め係合部と凹凸係合する第２係合部を有したものであることを特徴とする請求項１乃至請求項３のいずれか１項に記載のレフィル用装填器。
【請求項５】
前記装填操作部は、前記蓋部に撓み防止の剛性構造を採用すると共に、
前記蓋部に対して前記レフィルの上周部に当接する押下部を設けることにより構成されている
ことを特徴とする請求項１乃至請求項４のいずれか１項に記載のレフィル用装填器。
【請求項６】
前記蓋部と前記ガイド枠部とは別体に形成されており、
前記装填操作部は、前記ガイド枠部に対して前記蓋部を下降可能な状態に仮保持させることにより構成されていることを特徴とする請求項１乃至請求項４のいずれか１項に記載のレフィル用装填器。
【請求項７】
前記蓋部と前記ガイド枠部とは、前記蓋部の外周部に設けられた雄ネジ部と前記ガイド枠部の枠内周部に設けられた雌ネジ部との螺合によって互いに上下動自在に仮保持されていることを特徴とする請求項６記載のレフィル用装填器。
【請求項８】
詰め替え用のレフィルと、
前記レフィルに仮取り付けされたレフィル用装填器と、を有しており、
前記レフィル装填器は、前記レフィルに対してその上面を覆う蓋部と、
前記レフィルの外周部を取り囲むガイド枠部と、を有し、
前記ガイド枠部には、凹凸係合又は摩擦当接により前記レフィルを仮保持させる仮保持手段が設けられていると共に、
前記ガイド枠部は、前記レフィルの底部を下方へ突き出させて装填先とする容器上に当該底部を係合可能にする高さで形成されており、
前記蓋部には、前記レフィルに下向きの押圧力を伝えて前記仮保持手段による仮保持を解除させる装填操作部が設けられている
ことを特徴とする装填器付きレフィル。
【請求項９】
前記装填器の前記ガイド枠部に設けられた前記仮保持手段は、前記レフィルに設けられ
た対容器用の位置決め係合部と凹凸係合する第２係合部を有しており、
前記レフィルの位置決め係合部は、当該レフィルの外周全周を取り巻く周溝又は周リブによって形成されている
ことを特徴とする請求項８記載の装填器付きレフィル。
【発明の詳細な説明】
【技術分野】
【０００１】
本発明は、レフィル（詰め替え用の内容物がカセット内に充填された薄箱状もの等）を、使用容器に対して簡単且つ確実に装填できるようにしたレフィル用装填器及び装填器付きレフィルに関する。
【背景技術】
【０００２】
コンパクトが備える化粧皿等の容器に対し、ファンデーション等の内容物を詰め替えるのは面倒であり、コツを要する。そこで、内容物をカセット内に充填した詰め替え用のレフィルが用いられるようになり、今日では更に、このレフィルに仮蓋を取り付けたものを用いることが一般的となっている（特許文献１参照）。
特許文献１に記載のレフィルは平たい四角形状を呈しており、外周面の四面のうち相反する一組の二面には、同じ側の隅角寄りとなる配置で、外向きの小さな凸部が突設されていた。
【０００３】
これに対して仮蓋には、左右一対の把持片が下方突出状に設けられており、これら把持片で、レフィルの両凸部を外側から挟持するようになっていた。また、各把持片には、互いに対向する面にレフィルの凸部と係合する小さな凹部が形成されていた。要するに、仮蓋の左右一対の把持片でレフィルの二側面を挟持させ、レフィルの凸部と仮蓋の凹部とを係合させることで、仮蓋をレフィルに取り付けるようにしたものであった。
【０００４】
このような仮蓋付きレフィルを容器へ装填するには、まずレフィルの一辺側が下になるように傾けて容器へ差し込みながら、その途中（レフィルが傾いた状態のまま）でレフィルの凸部と仮蓋の凹部との係合位置を支点にして仮蓋をテコの原理で揺動させるようにレフィルから引き起こす。
そして、この勢いでレフィルの凸部と仮蓋の凹部との係合を無理矢理外して、外した仮蓋を廃棄し、最後の仕上げでレフィルの他辺側を下方へ押し下げて容器内で水平にさせる。
【０００５】
なお、容器に対するレフィルの装填向きは一義的に決められており、レフィルには、最初に容器へ差し込む辺側と最後に押し下げる辺側との２箇所に位置決め用の凹部が設けられており、容器内には、これら位置決め用の凹部と係合する突起が対向する２箇所に設けられていた。
【先行技術文献】
【特許文献】
【０００６】
【特許文献１】実開平７−３０９１１号公報
【発明の概要】
【発明が解決しようとする課題】
【０００７】
特許文献１の仮蓋付きレフィルでは、容器へ装填する際に、まず容器に対するレフィルの装填向きを正しく合わせなければならない。ここにおいて、掌にも乗るほどに小さく、軽量で、且つ外側のカセットが軟質であるというレフィルについて、外周面に設けられた位置決め用の凹部を視認し、そのうえで向きを合わせる取り扱いが非常に面倒であり且つ難しい、という大きな問題があった。
【０００８】
また、レフィルを斜めにして容器へ差し込んだ後、レフィルから仮蓋を取り除くために行う仕草（操作）には、仮蓋を引き起こすために力を入れる時や、レフィルの凸部と仮蓋の凹部との係合を無理矢理外すために力を入れる時に、レフィル内へうっかり指を滑らせて内容物表面を荒らしてしまったり、甚だしい場合には窪みや割れを発生させてしまったりする、という問題があった。
【０００９】
のみならず、これら一連の仕草のなかでレフィルを床等へ落下させてしまうおそれがあり、このようになると内容物がバラバラになって周辺へ飛び散るといったことまで起こるおそれがあった。
このように、従来にあってはレフィルを容器に装填することについて、難しさや煩わしさが解消されるには至っていないということがあった。
【００１０】
本発明は、上記事情に鑑みてなされたものであって、詰め替え用のレフィルを使用容器に対して簡単且つ確実に装填できるようにしたレフィル用装填器及び装填器付きレフィルを提供することを目的とする。
【課題を解決するための手段】
【００１１】
前記目的を達成するために、本発明は次の手段を講じた。
即ち、本発明に係るレフィル用装填器は、詰め替え用のレフィルに対してその上面を覆う蓋部と、前記レフィルの外周部を取り囲むガイド枠部と、を有し、前記ガイド枠部には、凹凸係合又は摩擦当接により前記レフィルを仮保持させる仮保持手段が設けられていると共に、前記ガイド枠部は、前記レフィルの底部を下方へ突き出させて装填先とする容器上に当該底部を係合可能にする高さで形成されており、前記蓋部には、前記レフィルに下向きの押圧力を伝えて前記仮保持手段による仮保持を解除させる装填操作部が設けられていることを特徴とする。
【００１２】
前記ガイド枠部には、前記蓋部を上下動自在な状態で連結する弾性ジョイントが設けられたものとしてもよい。
前記ガイド枠部には、前記装填操作部の未操作時に前記レフィルの上縁部に当接して前記蓋部の上昇を阻止する開放止め部が設けられたものとするのが好適である。
前記仮保持手段は、前記レフィルに設けられた対容器用の位置決め係合部と凹凸係合する第２係合部を有したものとするのが好適である。
【００１３】
前記装填操作部は、前記蓋部に撓み防止の剛性構造を採用すると共に、前記蓋部に対して前記レフィルの上周部に当接する押下部を設けることにより構成されたものとしてもよい。
前記蓋部と前記ガイド枠部とは別体に形成されており、前記装填操作部は、前記ガイド枠部に対して前記蓋部を下降可能な状態に仮保持させることにより構成されたものとしてもよい。
【００１４】
この場合、前記蓋部と前記ガイド枠部とは、前記蓋部の外周部に設けられた雄ネジ部と前記ガイド枠部の枠内周部に設けられた雌ネジ部との螺合によって互いに上下動自在に仮保持されたものとすることができる。
一方、本発明に係る装填器付きレフィルは、詰め替え用のレフィルと、前記レフィルに仮取り付けされたレフィル用装填器と、を有しており、前記レフィル装填器は、前記レフィルに対してその上面を覆う蓋部と、前記レフィルの外周部を取り囲むガイド枠部と、を有し、前記ガイド枠部には、凹凸係合又は摩擦当接により前記レフィルを仮保持させる仮保持手段が設けられていると共に、前記ガイド枠部は、前記レフィルの底部を下方へ突き出させて装填先とする容器上に当該底部を係合可能にする高さで形成されており、前記蓋部には、前記レフィルに下向きの押圧力を伝えて前記仮保持手段による仮保持を解除させる装填操作部が設けられていることを特徴とする。
【００１５】
前記装填器の前記ガイド枠部に設けられた前記仮保持手段は、前記レフィルに設けられた対容器用の位置決め係合部と凹凸係合する第２係合部を有しており、前記レフィルの位置決め係合部は、当該レフィルの外周全周を取り巻く周溝又は周リブによって形成されているものとするのがよい。
【発明の効果】
【００１６】
本発明に係るレフィル用装填器及び装填器付きレフィルでは、詰め替え用のレフィルを使用容器に対して簡単且つ確実に装填できるようになっている。
【図面の簡単な説明】
【００１７】
【図１】本発明に係る装填器の第１実施形態をレフィルへ取り付ける状況を示した分解斜視図である。
【図２】レフィルを取付後の本発明に係る装填器の第１実施形態を容器に対して組み合わせる状況を示した分解斜視図である。
【図３】レフィルを取付後の本発明に係る装填器の第１実施形態を容器に対して組み合わせた状況を示した平面図である。
【図４】図３のＡ−Ａ線断面図である。
【図５】本発明に係る装填器の第１実施形態を下から見上げるような視点で示した斜視図であって図中の（Ａ）―（Ａ）は図３のＡ−Ａ視に相当させたものであり図中の（Ｂ）―（Ｂ）は図３のＢ−Ｂ視に相当させたものである。
【図６】レフィルを取付後の本発明に係る装填器の第１実施形態を容器に対して組み合わせた状況を示した斜視図である。
【図７】レフィルを取付後の本発明に係る装填器の第１実施形態を容器に対して組み合わせた状況を示した断面図（図３のＢ−Ｂ線位置）である。
【図８】容器に組み合わせた本発明に係る装填器の第１実施形態を操作してレフィルを容器へ装填させている状況を示した斜視図である。
【図９】容器に組み合わせた本発明に係る装填器の第１実施形態を操作してレフィルを容器へ装填させている状況を示した断面図（図３のＢ−Ｂ線位置）である。
【図１０】容器にレフィルを装填した後の状況を示した断面図（図３のＢ−Ｂ線位置）である。
【図１１】本発明に係る装填器の第２実施形態を示した断面図（図３のＡ−Ａ線位置に相当）である。
【図１２】本発明に係る装填器の第３実施形態を示した断面図（図３のＡ−Ａ線位置に相当）である。
【図１３】本発明に係る装填器の第４実施形態を示した断面図（図３のＡ−Ａ線位置に相当）である。
【図１４】本発明に係る装填器の第５実施形態を示した平面図であって（ａ）は四隅をアール面とした長方形状のタイプであり（ｂ）は円形状のタイプである。
【図１５】本発明に係る装填器の第６実施形態を示した平面図であって（ａ）は四隅をアール面とした長方形状のタイプであり（ｂ）は円形状のタイプである。
【図１６】本発明に係る装填器の第７実施形態を示した平面図であって（ａ）は四隅をアール面とした長方形状のタイプであり（ｂ）は円形状のタイプである。
【図１７】本発明に係る装填器の第８実施形態を示した平面図であって（ａ）は四隅をアール面とした長方形状のタイプであり（ｂ）は円形状のタイプである。
【図１８】本発明に係る装填器の第９実施形態をレフィルへ取り付ける状況を示した分解斜視図である。
【図１９】レフィルを取付後の本発明に係る装填器の第９実施形態を容器に対して組み合わせる状況を示した分解斜視図である。
【図２０】レフィルを取付後の本発明に係る装填器の第９実施形態を容器に対して組み合わせた状況を示した平面図である。
【図２１】図２０のＥ−Ｅ線断面図である。
【図２２】容器にレフィルを装填した後の状況を示した断面図（図２０のＥ−Ｅ線位置に相当）である。
【発明を実施するための形態】
【００１８】
以下、本発明の実施の形態を、図面に基づき説明する。
図１乃至図１０は、本発明に係るレフィル用装填器１（以下、「本発明装填器１」と言う）の第１実施形態を示している。
このうち図１は本発明装填器１をレフィル２へ取り付ける状況を示しており、図２は、レフィル取付後の本発明装填器１を容器３に対して組み合わせる状況を示している。また図６乃至図１０は、本発明装填器１を容器３に組み合わせた後に、レフィル２を容器３内へ装填する手順を段階的に示している。
【００１９】
なお、本発明装填器１は、レフィル２が取り付けられた状態（図４等参照）で製品として市場流通などに供することが推奨される。また、言うまでもなくこの状態（レフィル２の取付状態）のままで容器３に対するレフィル２の装填を行うようにする。
これらのことから、本発明装填器１は作用的な面ではレフィル２を取り付けてあることが基本形体であると言うことができる。しかし、本発明装填器１は、それ単独で（レフィル２を伴わないで）製品を構成させ、市場流通等させることも可能である。
【００２０】
本第１実施形態において、レフィル２は、四隅をアール面とした長方形角皿状のカセット６に内容物７が充填されたものを例示している。
カセット６は、例えばＰＥＴ、ＰＶＣ、ＰＳ等の薄く軟らかい樹脂により形成されたブリスターパックとしてある。なお、カセット６の材質などは何ら限定されるものではなく、硬質素材（樹脂や金属）によって形成されたものとしてもよい。また内容物７として、固形化した状態での取り扱いが可能なものであればカセット６を省略することも可能である。
【００２１】
また内容物７は、例えばファンデーションやおしろい等の化粧品とすればよい。その他、内容物７は化粧品以外にもその種類や外形状などは何ら限定されるものではなく、粉状のものやクリーム状のもの等でもよい。
一方、容器３（図２参照）は、上向きに開口する２つの凹部を備えた蓋付きコンパクトケース１０を例に挙げて、このうち一方の凹部により形成された場合を示してある。容器３を形成する凹部とは別の凹部は、パフやスポンジ、化粧筆などの収容部１１として使用可能であり、ケース蓋１０ａの開いた内面には鏡１２が取り付けられたものとしてある。またケース蓋１０ａはケース横の開放ボタン１３を押して開く構造としてある。
【００２２】
ただ、図例のコンパクトケース１０はあくまで一例であり、また本発明では、ケース自体を構成要件とするものではなく公知、非公知に関わらず種々様々なケース類において容器３を形成し得るものとする。
例えば、コンパクトケース１０について例示すれば、上下２段のスライド式構造を備えたものや、上下２段蝶番式の構造を備えたものなどを挙げることができ、これらのコンパクトケース１０に設けられる凹部として、容器３を形成できることは言うまでもない。図２で例示したコンパクトケース１０において、ケース蓋１０ａを開く構造についても、開放ボタン１３を省略してフック式の手動開閉構造に変更することは勿論可能である。
【００２３】
図１及び図３〜図５に示すように、本発明装填器１は、蓋部１５と、この蓋部１５のまわりを取り囲むように設けられたガイド枠部１６とを有している。このガイド枠部１６の枠内において、凹凸係合又は摩擦当接によりレフィル２を仮保持させる「仮保持手段Ｘ」（図４参照）が設けられている。
本第１実施形態では、仮保持手段Ｘが、図１及び図４に示すようにレフィル２の外周全周を取り巻く周溝によって形成された位置決め係合部１８と、図４及び図５に示すようにガイド枠部１６における枠内の対向位置から爪状に突出する一対の第２係合部１９とによる凹凸係合によるものとしてある。
【００２４】
位置決め係合部１８がレフィル２の外周全周に設けられているので、レフィル２の向きは、長辺方向の辺方向、又は短辺方向の辺方向で１８０°反転させても何ら問題なく使用可能である（使用向きが一義的に制限されるものではない）。
なお、容器３には、図２及び図１０（図３のＢ−Ｂ線位置での断面図）に示すように、レフィル２が嵌る内周面の対向位置から突出する一対の第１係合部２０が設けられており、レフィル２を容器３に装填した祭には、レフィル２の位置決め係合部１８と容器３の第１係合部２０とが凹凸係合するようになっている。
【００２５】
すなわち、ガイド枠部１６の仮保持手段Ｘ（第２係合部１９）は、容器３に対してレフィル２の位置決め及び固定をするための凹凸係合構造（位置決め係合部１８と第１係合部２０）の一部を利用して、本発明装填器１とレフィル２との位置決め及び固定をするようにしたものであると言うことができる。
蓋部１５は、レフィル２の上面を覆って内容物７の漏出を防止したり、内容物７の表面を保護したりするためのものである。そのため、この蓋部１５は、レフィル２に対応させてその平面形状及び大きさを形成してある。
【００２６】
本第１実施形態では、前記したようにレフィル２が四隅をアール面とする長方形状に形成されたものとしているので、蓋部１５についても同様の形体に形成され、またガイド枠部１６は相似的に一回り大きな長方形枠状を呈するように形成されている。
本第１実施形態において、蓋部１５とガイド枠部１６との間は、蓋部１５の外周四側面のうち一組の対向二側面（短辺部）とこれら対向二側面に対応するガイド枠部１６の枠内
の二箇所との間を渡る板バネ状の弾性ジョイント２１によって連結されている。これら一対の弾性ジョイント２１により、蓋部１５はガイド枠部１６に対して円滑に上下動自在とされ、また離脱不能に保持されている。
【００２７】
図５に示すように、蓋部１５の下面にはその外周をリブ状に縁取る押下部２３が形成されている。蓋部１５は、所定の肉厚を確保すると共に、この押下部２３を設けることによって板面方向の撓みを防止できる程度の剛性が保持されている。また図７（図３のＢ−Ｂ線断面図）に示すように、この押下部２３はレフィル２のカセット６に対してその上周部に当接するようになっている。
【００２８】
このように、蓋部１５に押下部２３が設けられていることから、蓋部１５を下方へ押圧したときにはこの押下部２３がレフィル２へ下向きの押圧力を伝えるように作用する。すなわち、この押下部２３及び蓋部１５に確保した所定肉厚は、蓋部１５を下方へ押圧したときに、ガイド枠部１６の仮保持手段Ｘによるレフィル２の仮保持を解除させるための「装填操作部Ｙ」を構成していることになる。
【００２９】
なお、この押下部２３は、リブ高さに対応して蓋部１５とレフィル２の内容物７との間に非接触用隙間を保持させる作用をも奏している。
図３に示すように、蓋部１５の外周四側面のうち、弾性ジョイント２１が設けられたのとは異なる対向二側面（長辺部）には、辺長手方向の中央部を相互接近方向へ窪ませた凹み部２４が形成されている。
【００３０】
これら一対の凹み部２４の下縁は、図４（図３のＡ−Ａ線断面図）に示すように、レフィル２における内容物７の上面を少しだけ露出させるような配置となっている。ただ、新品時のレフィル２に対しては、内容物７の上面をバージンフィルム（図示略）で被覆しておくことができるので、凹み部２４による露出によって内容物７が漏出するおそれはない。
【００３１】
一方、ガイド枠部１６は、前記したように蓋部１５のまわりを取り囲む構造であるため、仮保持手段Ｘによってレフィル２を仮保持状態にあるときには、同時にレフィル２の外周部をも取り囲んでいることになる。
このガイド枠部１６は、レフィル２の底部を下方へ突き出させる高さで形成されている。そのため、図７及び図９に示すように、レフィル２を取付後の本発明装填器１を容器３の上へ組み合わせた際には、レフィル２の底部が容器３の開口周部に係合するようになり、レフィル２が平面方向で移動不能となって位置決めされるようになる。
【００３２】
前記したように蓋部１５の対向二側面（長辺部）に一対の凹み部２４（図３参照）が設けられているが、これに伴い、ガイド枠部１６には、これら凹み部２４内へ張り出すようにして開放止め部２７が設けられている。
図４（図３のＡ−Ａ線断面図）に示すように、この開放止め部２７は、装填操作部Ｙの未操作時（ガイド枠部１６の仮保持手段Ｘによりレフィル２を仮保持しているとき）にあっては、レフィル２の上縁部に当接するようになっている。
【００３３】
そのため、万が一、ガイド枠部１６に対してレフィル２を上昇させるような外力が付与されることがあったとしても、この上昇力が蓋部１５にのみ伝搬する状況には陥らず、結果として蓋部１５が意に反して上昇する（開放される）ことはない。従って内容物７の漏洩等に繋がるおそれもない。
以上詳説の構成を具備して成る本発明装填器１では、以下のように作用（使用）する。
【００３４】
まず、図１及び図４に示すように、本発明装填器１の蓋部１５でレフィル２を覆い、ガイド枠部１６の仮保持手段Ｘ（第２係合部１９）によりレフィル２を仮保持させて、装填の準備とする。
このとき、ガイド枠部１６の開放止め部２７はレフィル２の上縁部に当接し、レフィル２の底部はガイド枠部１６から下方へ突出するようになっている。また、図７に示すように、蓋部１５において装填操作部Ｙを構成している押下部２３は、レフィル２の上縁部に当接している。
【００３５】
この状態から、図６及び図７に示すように本発明装填器１を容器３上に載せるようにして両者を組み合わせる。このとき、本発明装填器１のガイド枠部１６から下方突出してい
るレフィル２の底部が容器３の開口周部に係合するようになるので、何ら熟練や要領を要さずとも、両者の位置合わせは極めて簡単且つ正確に行える。
次に、図８及び図９に示すように、蓋部１５を下方へ押し下げるように操作して、弾性ジョイント２１によるバネ力に抗しつつ蓋部１５を下降させる。これにより、装填操作部Ｙを構成する押下部２３が、蓋部１５の高剛性化とレフィル２の上縁押し下げ作用とを奏して、ガイド枠部１６の仮保持手段Ｘによるレフィル２の仮保持状態を解除させる。
【００３６】
すなわち、位置決め係合部１８と第２係合部１９とによる凹凸係合が解除され、レフィル２がガイド枠部１６の枠内に案内されながら下降する（図１０参照）。この際、特筆すべきは、弾性ジョイント２１が対向配置で一対設けられていることも相俟って、蓋部１５の下降は一層安定したものとなるので、レフィル２の下降も鉛直方向に真っ直ぐなものとなり、レフィル２は円滑且つ確実に容器３内に装填されることになる。
【００３７】
この蓋部１５の押し下げ操作をする間、レフィル２に手指を触れる必要は全くなく、従ってレフィル２内へうっかり指を滑らせて内容物７の表面を荒らしてしまったり窪みや割れを発生させてしまったりすることはない。またレフィル２を床等へ落下させてしまう、といったことも生じ難いので、内容物７を床上の周辺などへ飛び散らせてバラバラにしてしまうといったこともない。
【００３８】
図１１は本発明に係る装填器１の第２実施形態を示している。本第２実施形態の本発明装填器１が第１実施形態と最も異なるところは、ガイド枠部１６によりレフィル２を仮保持するための「仮保持手段Ｘ」が、ガイド枠部１６の枠内面とレフィル２の外周面との間の摩擦当接により構成されている点にある。
すなわち、ガイド枠部１６では第２係合部１９が省略されたものとなっている。
【００３９】
その他の構成及び作用効果は第１実施形態と略同様であるので、同じ作用を奏するものに同一符号を付することで、ここでの詳説は省略する。
図１２は本発明に係る装填器１の第３実施形態を示している。本第３実施形態の本発明装填器１が第１実施形態と最も異なるところは、蓋部１５において構成される「装填操作部Ｙ」が、押下部２３や蓋部１５の厚肉化等によって蓋部１５を高剛性化させるのではなく、蓋部１５の下面から下方へ突出する押軸３０を核として構成されている点にある。
【００４０】
押軸３０は、ガイド枠部１６によってレフィル２が仮保持されている状態で、レフィル２の底部上面に当接又は近接（非当接）となる長さを有したものとされている。すなわち、蓋部１５を押し下げると、押軸３０がレフィル２の底部を介して当該レフィル２全体へと下向きの押圧力を伝えるように作用する。
なお、押軸３０をレフィル２の底部へ当接又は近接させるうえでは内容物７をその肉厚方向に貫通させる必要があるが、内容物７に亀裂等を発生させることがないようにするために、レフィル２に対して押軸３０を嵌め入れるスリーブ３１を設けておくのが好適である。
【００４１】
本第３実施形態では、蓋部１５を高剛性化する必要がないので、蓋部１５に関して押下部２３や厚肉化等が不要であり、そのぶん低コスト化が図れるという利点が得られる。とは言え、蓋部１５の撓み防止のための措置として、蓋部１５の下面（又は上面）外周部を縁取る補強リブを設けたり厚肉化したりすることについて、これらを否定するものではない。また、蓋部１５の押し下げ量を多くするため、蓋部１５に対して上方へ膨らみ（湾曲部）を生じさせたり、蓋部１５の中央部などに上方へ半球状に膨出するような厚肉部を設けたりすることは可能である。
【００４２】
本第３実施形態の「装填操作部Ｙ」では、蓋部１５（押軸３０まわりの板状部分）の撓み性を豊富にすることで、レフィル２へ下向きの押圧力を加える構成である（第１実施形態などとは逆の作用を期待したもの）と言うことができる。
その他の構成及び作用効果は第１実施形態と略同様であるので、同じ作用を奏するものに同一符号を付することで、ここでの詳説は省略する。
【００４３】
図１３は本発明に係る装填器１の第４実施形態を示している。本第４実施形態の本発明装填器１が第１実施形態と最も異なるところは、蓋部１５に備えられる「装填操作部Ｙ」が、蓋部１５を高剛性化したものでも、押軸３０を備えさせたものでもない点にある。
すなわち、本第４実施形態では、レフィル２に対して、内容物７の略中央位置で内部底面から上向きに突出する押し台３２を設けた構成を採用している。そのため、蓋部１５を押し下げ操作することで、蓋部１５がレフィル２の押し台３２へ下向きの押圧力を伝えるように作用する。
【００４４】
なお、蓋部１５を押し下げた際に蓋部１５の下面がレフィル２の内容物７に接触しないように配慮し、また、蓋部１５を押し下げた際に押し台３２を確実に押圧できるように（押下力が集中して伝搬されるように）配慮する理由から、蓋部１５の下面に押し台３２へ向けて突出するボス部３３を設けるのが推奨される。
本第４実施形態の「装填操作部Ｙ」でも、前記した第３実施形態と同様に、蓋部１５を寧ろ柔軟化して撓み性を豊富にすることで、レフィル２へ下向きの押圧力を加える構成である（第１実施形態などとは逆の作用を期待したもの）と言うことができる。
【００４５】
その他の構成及び作用効果は第１実施形態と略同様であるので、同じ作用を奏するものに同一符号を付することで、ここでの詳説は省略する。
図１４（ａ）及び（ｂ）は、いずれも本発明装填器１の第５実施形態を示している。なお、図１４（ａ）は平面形状が四隅をアール面とした正方形状であり、これに対して図１４（ｂ）は平面視円形状である点が異なるが、これらはレフィル２の形状に合わせたことによる形状の違いであって、基本とする技術的思想は共通している。
【００４６】
本第５実施形態の本発明装填器１が第１実施形態と最も異なるところは、ガイド枠部１６に設けられる開放止め部２７が、半円状に張り出す小さな舌片状に形成されている点にある。これらの開放止め部２７の断面形状（Ｃ−Ｃ線断面図）は、第１実施形態で説明した図４中のＤ部と略同様である。
この開放止め部２７が、装填操作部Ｙの未操作時（ガイド枠部１６の仮保持手段Ｘによりレフィル２を仮保持しているとき）においてレフィル２の上縁部に当接するようになっている点などは第１実施形態と同じであり、作用効果についても第１実施形態と略同様であるので、ここでの詳説は省略する。
【００４７】
図１５（ａ）及び（ｂ）は、いずれも本発明装填器１の第６実施形態を示している。なお、図１５（ａ）は平面形状が四隅をアール面とした正方形状であり、これに対して図１５（ｂ）は平面視円形状である点が異なるが、これらはレフィル２の形状に合わせたことによる形状の違いであって、基本とする技術的思想は共通している。
本第６実施形態の本発明装填器１が第１実施形態と最も異なるところは、蓋部１５とガイド枠部１６とを連結する弾性ジョイント２１を１箇所のみに設けている点にある。
【００４８】
その他の構成及び作用効果は第１実施形態と略同様であるので、同じ作用を奏するものに同一符号を付することで、ここでの詳説は省略する。
図１６（ａ）及び（ｂ）は、いずれも本発明装填器１の第７実施形態を示している。なお、図１６（ａ）は平面形状が四隅をアール面とした正方形状であり、これに対して図１６（ｂ）は平面視円形状である点が異なるが、これらはレフィル２の形状に合わせたことによる形状の違いであって、基本とする技術的思想は共通している。
【００４９】
本第７実施形態の本発明装填器１が第１実施形態と最も異なるところは、蓋部１５とガイド枠部１６とを連結する部分を弾性ジョイント２１に代えてヒンジ接合部３５とし、且つ１箇所のみに設けている点にある。これらの変更により、構造の簡潔化を図り、低コスト化が得られるものとなっている。
その他の構成及び作用効果は第１実施形態と略同様であるので、同じ作用を奏するものに同一符号を付することで、ここでの詳説は省略する。
【００５０】
図１７（ａ）及び（ｂ）は、いずれも本発明装填器１の第８実施形態を示している。なお、図１７（ａ）は平面形状が四隅をアール面とした正方形状であり、これに対して図１７（ｂ）は平面視円形状である点が異なるが、これらはレフィル２の形状に合わせたことによる形状の違いであって、基本とする技術的思想は共通している。
本第８実施形態の本発明装填器１が第１実施形態と最も異なるところは、蓋部１５とガイド枠部１６とを連結する部分を、線状ノッチ（図示略）を下面側に備えた裂断予定部３６としている点にある。
【００５１】
そのため、蓋部１５を押し下げ操作した祭には、押し下げ量が所定量を超えたときに裂断予定部３６が破断し、蓋部１５がガイド枠部１６から離反して下降することでレフィル２へ下向きの押圧力を伝えるように作用する。
その他の構成及び作用効果は第１実施形態と略同様であるので、同じ作用を奏するものに同一符号を付することで、ここでの詳説は省略する。
【００５２】
図１８乃至図２２は本発明に係る装填器１の第９実施形態を示している。本第９実施形態の本発明装填器１が第１実施形態と最も異なるところは、蓋部１５とガイド枠部１６とが当初より別体に形成されている点にある。
また、本第９実施形態において蓋部１５に採用した装填操作部Ｙは、ガイド枠部１６に対して蓋部１５を下降可能な状態に仮保持させる構成として、設けられたものとなっている。
【００５３】
具体的には、蓋部１５が円盤状に形成されたものを示し、ガイド枠部１６が蓋部１５を取り囲む円環状に形成されたものを示している。そして、蓋部１５の外周部には雄ネジ部３８が設けられており、ガイド枠部１６の枠内周部には、蓋部１５の雄ネジ部３８と螺合する雌ネジ部３９が設けられている。
すなわち、蓋部１５とガイド枠部１６とは、互いの雄ネジ部３８と雌ネジ部３９との螺合によって結合され、相対的な回動によって互いに上下動する関係に保持されている。
【００５４】
なお、ガイド枠部１６には、その枠内にレフィル２を嵌め入れ可能な角穴状の開口４０が設けられており、この開口４０の内周面には、四辺全てから突出するようにして第２係合部１９が設けられている。これに対し、レフィル２にはその外周面を一周する周溝状の位置決め係合部１８が形成されている。
すなわち、本第９実施形態において仮保持手段Ｘは、ガイド枠部１６の第２係合部１９と容器３の第１係合部２０とが凹凸係合することで構成されるようになっている。
【００５５】
なお、レフィル２は四隅がアール面とされた正方形状のものとしてあり、これに伴い、ガイド枠部１６の開口４０が角穴状としてあるので、蓋部１５を回転させながら下降させても、この蓋部１５により押し下げられるレフィル２は、必ず、非回転状態を維持しつつ下降するようになる。そのため、レフィル２は容器３に対して確実に装填される。
その他の構成及び作用効果は第１実施形態と略同様であるので、同じ作用を奏するものに同一符号を付することで、ここでの詳説は省略する。
【００５６】
ところで、本発明は、前記各実施形態に限定されるものではなく、実施の形態に応じて更に適宜変更可能である。
例えば、ガイド枠部１６は、蓋部１５（レフィル２）のまわり全周を取り囲んだものとすることが限定されるものではなく、一部を省略したもの（四角い蓋部１５に対してその三辺部を取り囲む場合など）としてもよい。
【００５７】
ガイド枠部１６の仮保持手段Ｘにおいて、レフィル２の外周全周を取り巻く周リブ（凸条）によって位置決め係合部１８を形成することができる。この場合、ガイド枠部１６ではその枠内に凹部としての第２係合部１９を形成して、これらによる凹凸係合を行わせるようにするとよい。
言うまでもなく、第２係合部１９の形成数（周方向の配置数）や配置は特に限定されるものではない。
【００５８】
なお、仮保持手段Ｘにおいて、ガイド枠部１６の枠内とレフィル２の外周面との間で摩擦当接させる場合に、保持力を強めるための対策として両面テープなどを併用してもよい。場合によっては、両面テープによる接着力自体で仮保持手段Ｘを構成させるようにしてもよい。
第７実施形態（図１６（ａ）及び（ｂ）参照）では、蓋部１５とガイド枠部１６との連結部分をヒンジ接合部３５としたが、このヒンジ接合部３５は、蓋部１５を押し下げ操作する際に破れを想定しない、樹脂シール等に置換することができる。
【００５９】
第８実施形態（図１７（ａ）及び（ｂ）参照）では、蓋部１５とガイド枠部１６との連結部分を、線状ノッチを下面側に備えた裂断予定部３６としたが、この裂断予定部３６は、蓋部１５を押し下げ操作する際に破れを想定した、紙製シール等に置換することができ
る。
第９実施形態（図１８乃至図２２）において、仮保持手段Ｘは、第２実施形態（図１１参照）で例示した摩擦当接によるもの等としてもよい。
【符号の説明】
【００６０】
１  レフィル用装填器（本発明装填器）
２  レフィル
３  容器
６  カセット
７  内容物
１０  コンパクトケース
１０ａ  ケース蓋
１１  収容部
１２  鏡
１３  開放ボタン
１５  蓋部
１６  ガイド枠部
１８  位置決め係合部
１９  第２係合部
２０  第１係合部
２１  弾性ジョイント
２３  押下部
２４  凹み部
２７  開放止め部
３０  押軸
３１  スリーブ
３２  押し台
３３  ボス部
３５  ヒンジ接合部
３６  裂断予定部
３８  雄ネジ部
３９  雌ネジ部
４０  開口
Ｘ  仮保持手段
Ｙ  装填操作部
【図１】
2018075074.tif 000003
【図２】
2018075074.tif 000004
【図３】
2018075074.tif 000005
【図４】
2018075074.tif 000006
【図５】
2018075074.tif 000007
【図６】
2018075074.tif 000008
【図７】
2018075074.tif 000009
【図８】
2018075074.tif 000010
【図９】
2018075074.tif 000011
【図１０】
2018075074.tif 000012
【図１１】
2018075074.tif 000013
【図１２】
2018075074.tif 000014
【図１３】
2018075074.tif 000015
【図１４】
2018075074.tif 000016
【図１５】
2018075074.tif 000017
【図１６】
2018075074.tif 000018
【図１７】
2018075074.tif 000019
【図１８】
2018075074.tif 000020
【図１９】
2018075074.tif 000021
【図２０】
2018075074.tif 000022
【図２１】
2018075074.tif 000023
【図２２】
2018075074.tif 000024